(57)【特許請求の範囲】
【請求項１】
複数のサービスを多重化した放送信号を受信し、所定のサービスをプリセットするプリセット用操作部材を備え、ユーザによるプリセット用操作部材の操作により該プリセット用操作部材にプリセットされているサービスが選択されて再生されるようになっているデジタル多重化放送受信装置において、
再生中のサービスを含む多重化放送信号におけるサービス再構成を検出するサービス再構成検出手段、
サービス再構成を検出したときはサービス再構成後の多重化放送信号に多重化されているサービスを検出するサービス検出手段、及び
プリセットされているサービスがサービス再構成後の多重化放送信号において欠落しているプリセット用操作部材（以下、「サービス欠落プリセット用操作部材」と呼ぶ。）に、サービス再構成後の多重化放送信号に含まれるサービスをプリセットするプリセットサービス変更手段、
を有していることを特徴とするデジタル多重化放送受信装置。
【請求項２】
前記プリセットサービス変更手段は、サービス再構成後の多重化放送信号において追加されたサービスのあるときは、該追加されたサービスを、サービス欠落プリセット用操作部材にプリセットすることを特徴とする請求項１記載のデジタル多重化放送受信装置。
【請求項３】
前記プリセットサービス変更手段は、サービス再構成後の多重化放送信号において追加されたサービスのないときは、該多重化放送信号とは別の多重化放送信号に含まれるサービスをサービス欠落プリセット用操作部材にプリセットすることを特徴とする請求項１又は２記載のデジタル多重化放送受信装置。
【請求項４】
前記プリセットサービス変更手段は、サービス欠落プリセット用操作部材に別の多重化放送信号のサービスをプリセットする場合、別の多重化放送信号に、欠落サービスのＩＤと同一のＩＤのサービスがあるときは、該同一ＩＤのサービスを優先的に該サービス欠落プリセット用操作部材にプリセットすることを特徴とする請求項３記載のデジタル多重化放送受信装置。
【請求項５】
複数のサービスを多重化した放送信号を受信し、所定のサービスをプリセットするプリセット用操作部材を備え、ユーザによるプリセット用操作部材の操作により該プリセット用操作部材にプリセットされているサービスが選択されて再生されるようになっているデジタル多重化放送受信装置の制御方法において、
再生中のサービスを含む多重化放送信号におけるサービス再構成を検出するサービス再構成検出ステップ、
サービス再構成を検出したときはサービス再構成後の多重化放送信号に多重化されているサービスを検出するサービス検出ステップ、及び
プリセットされているサービスがサービス再構成後の多重化放送信号において欠落しているプリセット用操作部材（以下、「サービス欠落プリセット用操作部材」と呼ぶ。）に、サービス再構成後の多重化放送信号に含まれるサービスをプリセットするプリセットサービス変更ステップ、
を有していることを特徴とするデジタル多重化放送受信装置の制御方法。
【請求項６】
前記プリセットサービス変更ステップでは、サービス再構成後の多重化放送信号において追加されたサービスのあるときは、該追加されたサービスを、サービス欠落プリセット用操作部材にプリセットすることを特徴とする請求項５記載のデジタル多重化放送受信装置の制御方法。
【請求項７】
前記プリセットサービス変更ステップでは、サービス再構成後の多重化放送信号において追加されたサービスのないときは、該多重化放送信号とは別の多重化放送信号に含まれるサービスをサービス欠落プリセット用操作部材にプリセットすることを特徴とする請求項５又は６記載のデジタル多重化放送受信装置の制御方法。
【請求項８】
前記プリセットサービス変更ステップでは、サービス欠落プリセット用操作部材に別の多重化放送信号のサービスをプリセットする場合、別の多重化放送信号に、欠落サービスのＩＤと同一のＩＤのサービスがあるときは、該同一ＩＤのサービスを優先的に該サービス欠落プリセット用操作部材にプリセットすることを特徴とする請求項７記載のデジタル多重化放送受信装置の制御方法。
【発明の詳細な説明】
【０００１】
【発明の属する技術分野】
本発明は、ＤＡＢ（Ｄｉｇｉｔａｌ  Ａｕｄｉｏ  Ｂｒｏａｄｃｓａｔｉｎｇ）等のデジタル放送用の受信装置及びその制御方法に関するものである。
【０００２】
【従来の技術】
欧州で実用放送されているＤＡＢ等のデジタル多重化放送では、複数個のサービスが１個のアンサンブルにまとめられ、各アンサンブルは、所定の搬送周波数を割り当てられて、送信局から送信される。また、デジタル多重化放送にはサービスの多重再構成（ｍｕｌｔｉｐｌｅｘ  ｒｅ−ｃｏｎｆｉｇｕｌａｔｉｏｎ）があり、多重再構成によりアンサンブル内のサービスについて追加や消失が起きる。
【０００３】
一方、デジタル多重化放送用カーラジオでは、複数のプリセットキーが装備され、ユーザは、各プリセットキーに所定のサービスをプリセットしておけば、プリセットキーをワンタッチ操作するだけで、所定のサービスを選択して、再生できるようになっている。
【０００４】
【発明が解決しようとする課題】
従来のＤＡＢ用カーラジオでは、プリセットキーにプリセットしてあるサービスが多重再構成により消失すると、ユーザが該プリセットキーを操作しても、サービスが再生されないと言う問題があった。なお、特開２００１−４４８６７は、番組再構成があると、それを報知したり、番組再構成後の番組リストを表示したりする受信装置を開示するが、プリセットキーにはなんら関与しないものである。
【０００５】
本発明の目的は、サービスをプリセットするプリセット用操作部材を装備するデジタル多重化放送受信装置及びその制御方法において、サービス再構成に対処して、利便性を向上させることである。
【０００６】
【課題を解決するための手段】
本発明のデジタル多重化放送受信装置によれば、複数のサービスを多重化した放送信号を受信し、所定のサービスをプリセットするプリセット用操作部材を備え、ユーザによるプリセット用操作部材の操作により該プリセット用操作部材にプリセットされているサービスが選択されて再生されるようになっている。該デジタル多重化放送受信装置は次のものを有している。
・多重化放送信号におけるサービス再構成を検出するサービス再構成検出手段
・サービス再構成を検出したときは所定のプリセット用操作部材についてそれにプリセットされるサービスをサービス再構成後のサービスに基づいて変更するプリセットサービス変更手段
【０００７】
本発明において「サービス」とは、ユーザがスピーカやモニター等の出力手段において再生されるように、選択できる放送単位と定義する。ＤＡＢの規格では、サービス及びサービス成分の名称が使用されているが、ＤＡＢにおいてユーザが出力手段における再生を選択できる放送単位はサービス成分であり、本発明におけるサービスとは、ＤＡＢでは、厳密にはサービス成分であり、典型的にはプライマリのサービス成分（ＤＡＢでは各サービスは、プライマリのサービス成分を１個しかもたず、かつ必ず１個のオーディオのプライマリのサービス成分を持つので、サービスとプライマリサービス成分とは１：１に対応する。）に対応する。
【０００８】
デジタル多重化放送には、ラジオ、テレビ、及び／又はデータのデジタル多重化放送が含まれる。デジタル多重化放送受信装置には、ラジオのデジタル多重化放送受信装置だけでなく、テレビのデジタル多重化放送受信装置も含まれる。デジタル多重化放送受信装置には特にデジタル多重化放送用カーラジオが含まれる。サービス再構成を検出したときは所定のプリセット用操作部材についてサービス再構成後のサービスに基づいて行うサービスの設定には例えば変更、追加、及び／又は削除がある。すなわち、サービス再構成によりサービスの追加のあったときは、（ａ）まだ、どのサービスもプリセットされていないプリセット用操作部材に、該サービスをプリセットしてもよいし、（ｂ）すでに所定のサービスをプリセットされているものの、サービス再構成後には該サービスが消失しているプリセット用操作部材に、追加プリセット用操作部材をプリセットしてもよいし、（ｃ）すでに所定のサービスをプリセットされ、かつサービス再構成後にも該サービスが存在するプリセット用操作部材の中から、所定のプリセット用操作部材を選択して、該選択したプリセット用操作部材に該追加サービスをプリセットするような、既存サービスを追加サービスへ変更するプリセットサービスの変更にしてもよい。
【０００９】
本発明のデジタル多重化放送受信装置によれば、複数のサービスを多重化した放送信号を受信し、所定のサービスをプリセットするプリセット用操作部材を備え、ユーザによるプリセット用操作部材の操作により該プリセット用操作部材にプリセットされているサービスが選択されて再生されるようになっている。該デジタル多重化放送受信装置は次のものを有している。
・再生中のサービスを含む多重化放送信号におけるサービス再構成を検出するサービス再構成検出手段
・サービス再構成を検出したときはサービス再構成後の多重化放送信号に多重化されているサービスを検出するサービス検出手段
・プリセットされているサービスがサービス再構成後の多重化放送信号において欠落しているプリセット用操作部材（以下、「サービス欠落プリセット用操作部材」と呼ぶ。）に、サービス再構成後の多重化放送信号に含まれるサービスをプリセットするプリセットサービス変更手段
【００１０】
所定態様のデジタル多重化放送受信装置によれば、プリセットサービス変更手段は、（ａ）サービス再構成後の多重化放送信号において追加されたサービスのあるときは、該追加されたサービスを、サービス欠落プリセット用操作部材にプリセットし、また、（ｂ）サービス再構成後の多重化放送信号において追加されたサービスのないときは、該多重化放送信号とは別の多重化放送信号に含まれるサービスをサービス欠落プリセット用操作部材にプリセットする。さらに、プリセットサービス変更手段は、サービス欠落プリセット用操作部材に別の多重化放送信号のサービスをプリセットする場合、別の多重化放送信号に、欠落サービスのＩＤと同一のＩＤのサービスがあるときは、該同一ＩＤのサービスを優先的に該サービス欠落プリセット用操作部材にプリセットする。
【００１１】
本発明のデジタル多重化放送受信装置の制御方法によれば、複数のサービスを多重化した放送信号を受信し、所定のサービスをプリセットするプリセット用操作部材を備え、ユーザによるプリセット用操作部材の操作により該プリセット用操作部材にプリセットされているサービスが選択されて再生されるようになっている。該デジタル多重化放送受信装置の制御方法は次のステップを有している。
・多重化放送信号におけるサービス再構成を検出するサービス再構成検出ステップ
・サービス再構成を検出したときは所定のプリセット用操作部材についてそれにプリセットされるサービスをサービス再構成後のサービスに基づいて変更するプリセットサービス変更ステップ
【００１２】
本発明のデジタル多重化放送受信装置の制御方法によれば、複数のサービスを多重化した放送信号を受信し、所定のサービスをプリセットするプリセット用操作部材を備え、ユーザによるプリセット用操作部材の操作により該プリセット用操作部材にプリセットされているサービスが選択されて再生されるようになっている。該デジタル多重化放送受信装置の制御方法は次のステップを有している。
・再生中のサービスを含む多重化放送信号におけるサービス再構成を検出するサービス再構成検出ステップ
・サービス再構成を検出したときはサービス再構成後の多重化放送信号に多重化されているサービスを検出するサービス検出ステップ
・プリセットされているサービスがサービス再構成後の多重化放送信号において欠落しているプリセット用操作部材（以下、「サービス欠落プリセット用操作部材」と呼ぶ。）に、サービス再構成後の多重化放送信号に含まれるサービスをプリセットするプリセットサービス変更ステップ
【００１３】
所定態様のデジタル多重化放送受信装置の制御方法によれば、プリセットサービス変更ステップでは、サービス再構成後の多重化放送信号において追加されたサービスのあるときは、該追加されたサービスを、サービス欠落プリセット用操作部材にプリセットする。また、プリセットサービス変更ステップでは、サービス再構成後の多重化放送信号において追加されたサービスのないときは、該多重化放送信号とは別の多重化放送信号に含まれるサービスをサービス欠落プリセット用操作部材にプリセットする。さらに、プリセットサービス変更ステップでは、サービス欠落プリセット用操作部材に別の多重化放送信号のサービスをプリセットする場合、別の多重化放送信号に、欠落サービスのＩＤと同一のＩＤのサービスがあるときは、該同一ＩＤのサービスを優先的に該サービス欠落プリセット用操作部材にプリセットする。
【００１４】
【発明の実施の形態】
以下、発明の実施の形態について図面を参照して説明する。
図１はＤＡＢの送信フレームの構造を示す。なお、図１〜図６はＤＡＢの周知の規格図であり、詳細はＤＡＢの規格を参照されたい。送信フレーム（Ｔｒａｎｓｍｉｓｓｉｏｎ  ｆｒａｍｅ）は前から順番に同期チャンネル（Ｓｙｎｃｈｒｏｎｉｚａｔｉｏｎ  Ｃｈａｎｎｅｌ）、ＦＩＣ（Ｆａｓｔ  Ｉｎｆｏｒｍａｔｉｏｎ  Ｃｈａｎｎｅｌ：ファーストインフォメーションチャンネル）、及びＭＳＣ（Ｍａｉｎ  Ｓｅｒｖｉｃｅ  Ｃｈａｎｎｅｌ：メインサービスチャンネル）を有している。ＦＩＣはさらに複数個のＦＩＢ（Ｆａｓｔ  Ｉｎｆｏｒｍａｔｉｏｎ  Ｂｌｏｃｋ）から成り、ＭＳＣはさらに複数個のＣＩＦ（Ｃｏｍｍｏｎ  Ｉｎｔｅｒｌｅａｖｅｄ  Ｆｒａｍｅ）から成る。ＤＡＢは、モード１からモード４まで、仕様を決められており、モードごとに、送信フレームの時間（ｄｕｒａｔｉｏｎ）及び１送信フレーム内のＦＩＢ及びＣＩＦの個数が異なっている。例えばモード１では、１送信フレームの時間は９６ｍｓ、１送信フレーム内のＦＩＢ及びＣＩＦの個数はそれぞれ１２個及び４個である。
【００１５】
図２はＤＡＢのサービス構造の例示図である。ユーザは、サービスを選択することにより各サービスを聞く。１つのアンサンブル（Ｅｎｓｅｍｂｌｅ）により複数個のサービス（Ｓｅｖｉｃｅ）にアクセスすることができ、各サービスは、１個以上のサービス成分（Ｓｅｒｖｉｃｅ  ｃｏｍｐｏｎｅｎｔ）をもつ。各サービス成分の内、主要なサービス成分はプライマリサービス成分と呼ばれ、各サービスは１個のプライマリサービス成分をもつ。プライマリサービス成分は通常はオーディオとしてのプログラムサービス成分であるが、データサービス成分であってもよい。アンサンブルラベル（アンサンブル名）がＤＡＢアンサンブル１（ＤＡＢ  ＥＮＳＥＭＢＬＥ  ＯＮＥ）であるアンサンブルは、サービスラベルがアルファ１ラジオ（ＡＬＰＨＡ１  ＲＡＤＩＯ）、ベータラジオ（ＢＥＴＡ  ＲＡＤＩＯ）、アルファ２ラジオ（ＡＬＰＨＡ２  ＲＡＤＩＯ）等の複数のサービス（Ｓｅｒｖｉｃｅ）を含んでいる。
【００１６】
アルファ１ラジオは、プライマリ（ｐｒｉｍａｒｙ）のサービス成分（Ｓｅｒｖｉｃｅ  ｃｏｍｐｏｎｅｎｔｓ）を１個、セカンダリ（ｓｅｃｏｎｄａｒｙ）のサービス成分を２個、それぞれ有している。プライマリのサービス成分はオーディオ（Ａｕｄｉｏ）であり、セカンダリのサービス成分は交通メッセージチャンネル：ＴＭＣ（Ｔｒａｆｆｉｃ  Ｍｅｓｓａｇｅ  Ｃｈａｎｎｅｌ）とサービス情報：ＳＩ（Ｓｅｒｖｉｃｅ  Ｉｎｆｏｒｍａｔｉｏｎ）である。オーディオ及びサービス情報はＭＳＣ内のサブチャンネル（ＳｕｂＣｈ）で伝送され、ＴＭＣはＦＩＣ内のＦＩＤＣ（Ｆａｓｔ  Ｉｎｆｏｒｍａｔｉｏｎ  Ｄａｔａ  Ｃｈａｎｎｅｌ）で伝送される。
【００１７】
ベータラジオはサービス成分を２個もつ。オーディオと二次オーディオ（ｓｅｃｏｎｄａｒｙ  ａｕｄｉｏ）であり、どちらもＭＳＣのサブチャンネルにデータを含められる。
【００１８】
アルファ２ラジオは、プライマリ成分としての１個のオーディオとセカンダリ成分としてのＴＭＣ及びＳＩを有している。アルファ２ラジオのＴＭＣ及びＳＩはアルファ１ラジオのＴＭＣ及びＳＩと同一である。アルファ２ラジオのオーディオは、２個のオーディオに切替自在になっており、一方のオーディオはアルファ１ラジオのオーディオと同一である。アルファ２ラジオにおけるオーディオの切替の際は多重再構成の情報が送信される。
【００１９】
図３はＦＩＢの構造図である。ＦＩＢは、全体で２５６ビットから成り、前部の３０バイトのＦＩＢデータ領域（ＦＩＢ  ｄａｔａ  ｆｉｅｌｄ）と後部の１６ビットのＣＲＣ（Ｃｙｃｌｉｃ  Ｒｅｄｕｎｄａｎｃｙ  Ｃｈｅｃｋ  ｗｏｒｄ）から成る。ＦＩＢデータ領域は、さらに、前から順に複数個のＦＩＧ（Ｆａｓｔ  Ｉｎｆｏｒｍａｔｉｏｎ  Ｇｒｏｕｐ）、１個のエンドマーカ（Ｅｎｄ  ｍａｒｋｅｒ）、及び１個のパッディング（ＦＩＢデータ領域をバイトに合わせるために残ったビットに０を入れること。）から成る。ＦＩＧの部分は有用データ領域（ｕｓｅｆｕｌ  ｄａｔａ  ｆｉｅｌｄ）を構成する。各ＦＩＧは、前から順番にＦＩＧタイプ、Ｌｅｎｇｔｈ（長さ：後続のＦＩＧデータ領域のビット長さを表わす。）、ＦＩＧデータ領域（ＦＩＧ  ｄａｔａ  ｆｉｅｌｄ）を備える。ＦＩＧタイプとＬｅｎｇｔｈはＦＩＧヘッダを構成する。
【００２０】
図４は図３のＦＩＧタイプが０（３ビット２進表示では０００）のＦＩＧデータ領域の構造図である。ＦＩＧデータ領域は、さらに、前から順番にＣ／Ｎ（Ｃｕｒｒｅｎｔ／Ｎｅｘｔ)、ＯＥ（Ｏｔｈｅｒ  Ｅｎｓｅｍｂｌｅ)、Ｐ／Ｄ（Ｐｒｏｇｒａｍｍｅ／Ｄａｔａ)、Ｅｘｔｅｎｓｉｏｎ、タイプ０領域（Ｔｙｐｅ０  ｆｉｅｌｄ)を備える。Ｅｘｔｅｎｓｉｏｎが１〜４及び７である場合、Ｃ／Ｎ＝０のときは今回の多重構造のものである意味し、また、Ｃ／Ｎ＝１のときは次回の多重構造のものであることを意味する。Ｅｘｔｅｎｓｉｏｎが６，９，１１，１８，２１，２２，２３，２４、２５，２７，３０である場合、Ｃ／Ｎはタイプ０領域のバージョン番号を示す。ＯＥはＥｘｔｅｎｓｉｏｎ＝１２、１６，１７，２１，２４，３０のとき、用いられ、ＯＥ＝０はこのタイプ０領域の情報がこのアンサンブルに係るものであることを意味し、ＯＥ＝１は他のアンサンブルに係るものであることを意味する。Ｐ／Ｄ＝０は、タイプ０領域のＳＩｄ（サービスＩｄ）が、プログラムサービス成分に使用される１６ビットＳＩｄであることを意味し、Ｐ／Ｄ＝１は、タイプ０領域のＳＩｄが、データサービス成分に使用される３２ビットＳＩｄであることを意味する。このＰ／ＤはＥｘｔｅｎｓｉｏｎが２，９，２３，２４のとき使用され、使用されないときはＳＩｄは１６ビットフォーマットになる。
【００２１】
図５はＦＩＧ０／０の領域の構造図である。なお、各ＦＩＧのＦＩＧタイプとＥｘｔｅｎｓｉｏｎとを、ＦＩＧタイプ／Ｅｘｔｅｎｓｉｏｎの形式で表すことにする。ＦＩＧ０／０は、ＦＩＧタイプ＝０で、かつＥｘｔｅｎｓｉｏｎ＝０を意味する。ＦＩＧ０／０の１番目及び２番目のフィールドは、それぞれ１６ビットのアンサンブルＩｄ（ＥＩｄ）及び２ビットの変更フラグ（Ｃｈａｎｇｅ  ｆｌａｇ）となっている。変更フラグは、ｂ１５，ｂ１４の２ビットをもち、ｂ１５が”１”のときは、サービスにリコンフィギュレーションがあったことを示し、ｂ１６が”１”のときはＭＳＣのサブチャンネルにリコンフィギュレーションがあったことを示す。サービスのリコンフィギュレーションを、以降、適宜「サービス再構成」と呼ぶ。変更フラグを監視することにより、ＥＩｄに係るアンサンブルにサービス再構成が起きたか否かを検出することができる。
【００２２】
図６はＦＩＧ０／２の領域の構造図である。ＦＩＧ０／２は、アンサンブルのサービス組織（ｓｅｒｖｉｃｅ  ｏｒｇａｎｉｓａｔｉｏｎ）を定義し、ＦＩＧ０／２のＳＩｄを調べることによりアンサンブルが含んでいる全部のサービスを調べることができる。
【００２３】
図７はＤＡＢ用カーラジオ１０の構成図である。ＲＦ部１１は、アンテナ１２に入射する電波の中から、ＣＰＵ１３より指示される周波数の電波を選択し、それを検波、増幅したアナログ信号を復調部１４へ出力する。復調部１４は、ＲＦ部１１からのアナログ信号をデジタル信号へ変換し、さらに、高速フーリェ変換、ＩＱ復調、及びＤＱＰＳＫ復調等の処理により図１のＤＡＢ伝送フレームのデータを生成して、それをチャンネルデコーダ１５へ出力する。チャンネルデコーダ１５は、デインターリーブ及び誤り訂正処理の回路を含み、復調部１４から伝送フレームデータからＦＩＣとＭＳＣとを抽出し、ＦＩＣのＦＩＧのデータをＣＰＵ１３へ出力するとともに、ＣＰＵ１３から指示のあったＭＳＣのサブチャンネルのデータをオーディオデコーダ１６へ出力する。オーディオデコーダ１６は、チャンネルデコーダ１５からのオーディオデータをＭＰＥＧに従い伸張し、デジタル−アナログ変換して、スピーカ１７へ出力する。ＣＰＵ１３は、操作部１８におけるユーザ操作に対応する指示をユーザから受け付けるとともに、所定の情報が表示部１９に表示されるように、表示部１９にデータ及び制御信号を出力する。なお、操作部１８は複数のプリセットキーを含み、ユーザは、各プリセットキーに所望のサービスをプリセットできるようになっている。ユーザの認識は、各プリセットキーにサービスがプリセットされていると言うことであるが、実際は、サービス自体ではなく、該サービスと１：１に対応する該サービスのプライマリサービス成分（該プライマリサービス成分はオーディオである。）がプリセットされている。
【００２４】
図８及び図９は多重再構成が生じたときに実施されるプリセットキーの設定変更ルーチンのフローチャートである。Ｓ３０では、サービス再構成が生じたか否かをＦＩＧ０／０の情報に基づいて判定し、該判定がＹＥＳであれば、Ｓ３１へ進み、ＮＯであれば、該ルーチンを終了する。図６において説明したように、選択中のアンサンブルにサービス再構成が起きると、ＦＩＧ０／０の変更フラグのｂ１５が”１”になる。Ｓ３１では、プリセットキーにプリセットされているサービス（以下、プリセットキーにプリセットされているサービスを「サービスｂ」と呼ぶ。：なお、ｂは、サービス再構成の前としてのｂｅｆｏｒｅのｂから採った。）の全部を検出する。Ｓ３２では、サービス再構成後のアンサンブルに含まれるサービス（以下、サービス再構成後のアンサンブルに含まれるサービスを「サービスａ」と呼ぶ。：なお、ａは、サービス再構成の後としてのａｆｔｅｒのａから採った。）の全部をＦＩＧ０／２に基づいて検出する。Ｓ３３では、全部のＳａと全部のＳｂとを対比する。Ｓ３４では、Ｓｂの中で、Ｓａに含まれないもの（以下、これを「欠落Ｓｂ」と呼ぶ。）が存在するか否かを判定し、該判定がＹＥＳであれば、Ｓ３５へ進み、ＮＯであれば、該ルーチンを終了する。すなわち、欠落Ｓｂがない場合は、プリセットキーにプリセットされているサービスを変更する必要がないので、該ルーチンを終了するのに対し、欠落Ｓｂがある場合は、欠落Ｓｂをプリセットされているプリセットキー（以下、適宜、「欠落プリセットキー」と呼ぶ。）は、ユーザが操作しても、サービスがスピーカ１７から出力されない。したがって、該プリセットキーにおけるプリセットサービスの設定を変更する必要があり、Ｓ３５以降の処理が実施される。Ｓ３５では、サービス再構成後のアンサンブルに追加されたサービスが存在するか否かを判定し、該判定がＹＥＳであれば、Ｓ３６へ進み、ＮＯであれば、Ｓ４１へ進む。Ｓ３６では、欠落プリセットキーに追加のＳａをプリセットして、該ルーチンを終了する。こうして、ユーザが操作しても、１７からサービスが出力されない事態を防止できる。
【００２５】
なお、欠落プリセットキーが複数個ある場合は、各欠落プリセットキーに別々の追加のＳａがプリセットされる。また、欠落プリセットキーの個数＞追加Ｓａの個数のときは、Ｓ３６において、追加Ｓａの個数分の欠落プリセットキーに別々の追加Ｓａをプリセットしてから、ルーチンを終了せずに、Ｓ４１へ進み、残りの欠落プリセットキーにＳ４１以降の処理を行うようにする。
【００２６】
図１０のＳ４１では、アンサンブルシークを行う。Ｓ４２では、Ｓ４１におけるアンサンブルシークの結果、他のアンサンブルが有ったか否かを判定する。そして、判定がＹＥＳであれば、Ｓ４３へ進み、ＮＯであれば、該ルーチンを終了する。Ｓ４３では、他のアンサンブ中に欠落Ｓｂと同一のサービスがあるか否かを判定する。各サービスには、アンサンブルとは無関係に固有のサービスＩＤが付与されるので、サービスＩＤを検査することにより、異なるアンサンブル間で同一のサービスがあるか否かを調べることができる。Ｓ４３の判定がＹＥＳである場合は、Ｓ４４へ進み、該他のアンサンブルの該同一サービスを欠落プリセットキーにプリセットし、また、ＮＯである場合は、Ｓ４５へ進み、該他のアンサンブルの適当なサービスを欠落プリセットキーにプリセットする。これにより、ユーザが、所定のプリセットキーを操作しても、スピーカ１７からオーディオが出力されない事態を防止できる。
【００２７】
【発明の効果】
本発明では、デジタル多重化放送におけるサービス再構成の発生に伴い、プリセット用操作部材にプリセットされるサービスを多重再構成後のサービスに基づいて適切に変更できる。
【図面の簡単な説明】
【図１】ＤＡＢの送信フレームの構造を示す図である。
【図２】ＤＡＢのサービス構造の例示図である。
【図３】ＦＩＢの構造図である。
【図４】図３のＦＩＧタイプが０のＦＩＧデータ領域の構造図である。
【図５】ＦＩＧ０／０の領域の構造図である。
【図６】ＦＩＧ０／２の領域の構造図である。
【図７】ＤＡＢ用カーラジオ１０の構成図である。
【図８】多重再構成が生じたときに実施されるプリセットキーの設定変更ルーチンのフローチャートの第１の部分である。
【図９】多重再構成が生じたときに実施されるプリセットキーの設定変更ルーチンのフローチャートの第２の部分である。
【符号の説明】
１０    ＤＡＢ用カーラジオ
１３    ＣＰＵ
１８    操作部
【図１】
0003751230.tif 000002
【図２】
0003751230.tif 000003
【図３】
0003751230.tif 000004
【図４】
0003751230.tif 000005
【図５】
0003751230.tif 000006
【図６】
0003751230.tif 000007
【図７】
0003751230.tif 000008
【図８】
0003751230.tif 000009
【図９】
0003751230.tif 000010